(57)【要約】デジタル通信システムにおける損失情報の回復を可能にするための装置が提供されている。この装置は、同期損失によって少なくとも一部が妥協された情報スーパーパケットのいずれか一つの全体の後の回復のため、前記情報スーパーパケットにわたって前方消失訂正（FXC）パリティ・スーパーパケットを計算するためのFXC符号化器を有している。
2005523637.tif 000002
【特許請求の範囲】
【請求項１】
デジタル通信システムにおける損失情報の回復を可能にする装置であって：
同期損失によって少なくとも一部が妥協された情報スーパーパケットのいずれか一つの全体の後の回復のため、前記情報スーパーパケットにわたって前方消失訂正（FXC）パリティ・スーパーパケットを計算するためのFXC符号化器；
から構成される装置。
【請求項２】
請求項１記載の装置であって、前記FXC符号化器は、前記情報スーパーパケット各々につき１バイトで、前記情報スーパーパケットにわたって前記FXCパリティ・スーパーパケットを計算する、ところの装置。
【請求項３】
請求項１記載の装置であって、情報パケットがkであって、それぞれの長さがsである場合において、前記FXC符号化器は、前記長さsのFXCパリティ・スーパーパケットhを計算し、この場合、h=n-kであり、n＝各FXCパリティ・スーパーパケットのブロック長さであり、及びk=各FXCパリティ・スーパーパケットの情報記号の数である、ところの装置。
【請求項４】
請求項１記載の装置であって、さらに、前記情報スーパーパケット及び前記FXCパリティ・スーパーパケットのいずれかの送信を行う前に、これらをマルチプレックスするためのマルチプレックサーを有する、ところの装置。
【請求項５】
請求項１記載の装置であって、前記マルチプレクサーは、前記情報スーパーパケットとは異なるプロセス識別子（PID）を前記FXCパリティ・スーパーパケットに割り当てる、ところの装置。
【請求項６】
請求項１記載の装置であって、前記FXC符号化器は、リードソロモン（RS）符号を使用して前記FXCパリティ・スーパーパケットを計算する、ところの装置。
【請求項７】
請求項１記載の装置であって、さらに、スーパーパケット・シーケンス番号開始位置との対応を表示するFXC同期移動パケットを生成するためのマルチプレックサーを有する、ところの装置。
【請求項８】
請求項１記載の装置であって、前記FXCパリティ・スーパーパケットは、少なくとも一つの同期損失期間の予想長さに対応する期間に対して計算する、ところの装置。
【請求項９】
デジタル通信装置における損失情報を回復するための装置であって：
同期損失によって少なくとも一部が妥協された情報スーパーパケットのいずれか一つの全体を回復するために、前に前記情報スーパーパケットにわたって計算された前方消失訂正（FXC）パリティ・スーパーパケットを復号化するためのFXC復号器；
から構成される装置。
【請求項１０】
請求項９記載の装置であって、前記FXC復号器は、さらに、前記FXCパリティ・スーパーパケット及び前記情報スーパーパケットの両方についてのスーパーパケット・シーケンス番号及びスーパーパケット位置を判断するためにFXC同期移動パケットを復号する、ところの装置。
【請求項１１】
請求項９記載の装置であって、前記FXC復号器は、前記同期損失によって少なくとも一部が妥協された前記情報スーパーパケットに対応する消失位置を表示する誤り信号を受信するように適合させられている、ところの装置。
【請求項１２】
デジタル通信システムにおける損失情報の回復を可能にする方法であって：
同期損失によって少なくとも一部が妥協された情報スーパーパケットのいずれか一つの全体の後の回復のため、前記情報スーパーパケットにわたってFXCパリティ・スーパーパケットを計算する段階；
から構成される方法。
【請求項１３】
請求項１２記載の方法であって、前記計算段階は、前記情報スーパーパケット各々につき１バイトで、前記情報スーパーパケットにわたって前記FXCパリティ・スーパーパケットを計算する段階を有する、ところの方法。
【請求項１４】
請求項１２記載の方法であって、情報パケットがkであって、それぞれの長さがsである場合において、前記計算段階は、前記長さsのFXCパリティ・スーパーパケットhを計算する段階を有し、この場合、h=n-kであり、n＝各FXCパリティ・スーパーパケットのブロック長さであり、及びk=各FXCパリティ・スーパーパケットの情報記号の数である、ところの方法。
【請求項１５】
請求項１２記載の方法であって、さらに、前記情報スーパーパケット及び前記FXCパリティ・スーパーパケットのいずれかの送信を行う前に、これらをマルチプレックスする段階を有する、ところの方法。
【請求項１６】
請求項１２記載の方法であって、前記マルチプレクス段階は、前記情報スーパーパケットとは異なるプロセス識別子（PID）を前記FXCパリティ・スーパーパケットに割り当てる段階を有する、ところの方法。
【請求項１７】
請求項１２記載の方法であって、前記計算段階は、リードソロモン（RS）符号を使用して前記FXCパリティ・スーパーパケットを計算する、ところの方法。
【請求項１８】
請求項１２記載の方法であって、さらに、スーパーパケット・シーケンス番号開始位置との対応を表示するFXC同期移動パケットを生成する段階を有する、ところの方法。
【請求項１９】
請求項１２記載の方法であって、前記計算段階は、少なくとも一つの同期損失期間の予想長さに対応する期間に対して計算する、ところの方法。
【請求項２０】
デジタル通信装置における損失情報を回復するための方法であって：
同期損失によって少なくとも一部が妥協された情報スーパーパケットのいずれか一つの全体を回復するために、前に前記情報スーパーパケットにわたって計算されたFXCパリティ・スーパーパケットを復号化する段階；
から構成される方法。
【請求項２１】
請求項２０記載の方法であって、さらに、前記FXCパリティ・スーパーパケット及び前記情報スーパーパケットの両方についてのスーパーパケット・シーケンス番号及びスーパーパケット位置を判断するためにFXC同期移動パケットを復号する段階を有する、ところの方法。
【発明の詳細な説明】
【発明の詳細な説明】
【０００１】
［発明の技術分野］
本発明は、一般に通信システムに関し、より詳細には、前方消失訂正（ＦＸＣ）を使用する同期損失回復デジタル通信システムに関するものである。
［発明の背景］
無線デジタル通信システムにおいて、多重通信路やフェージングが生じ、同期が損失されることがある。同期損失期間に送信されたデータは、通常、受信器で損失する。よって、可能な限りオーバーヘッド・レートを低くしつつ、多重通信路やフェージングによる同期の損失を回復することができる無線デジタル通信システムをいかに設計するかが課題である。
【０００２】
無線デジタル通信リンクに対する多重通信路やフェージングの影響は、広く知られており、それらの特徴は記録されている。例えば、米国の高精細テレビ（HDTV）用のＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）の８残留側波帯（８ＶＳＢ）送信システムにおいて、フェージング期間の予想分布が研究されている。携帯装置で８ＶＳＢを受信する場合には、同期損失の可能性は更に高くなる。同期が再取得された後も、トレリス符号化の再トレーニングを行なって、インターリーバが新たなブロックを開始するまでは、有効なデータをＡＴＳＣ８ＶＳＢシステムでは回復できない。
【０００３】
ATSC８VSBシステムは、ノイズを有した送信からの保護を図るための通信路符号化の種類をいくつか含み、トレリス符号化、インターリービング及びリードソロモン（RS）前方誤り訂正（Forward  Error  Correction、FEC）が含まれている。しかし、これらの通信路符号化方法は、同期の損失が発生した場合におけるデータの回復に寄与しないのである。
【０００４】
データの送信を反復することによって、同期の損失に対する回復力を向上させることができるが、高いオーバーヘッドを要することになる。使用可能な帯幅をデータの送信の反復に配分することによって、初期データを送信できる量が減少してしまうのである。これは、送信されるプログラムが減り或いはプログラムの品質が低下することを意味する。
【０００５】
また、初期データの送信を反復する代わりに、初期データのビットレートの低いバージョンを繰り返し送信して、オーバーヘッド・レートを減少させるものが提案されている。同期の損失によって初期データが損失した場合に、受信器は解像度を低減されたバージョンを使用する。これは、グレースフルデグラデーションを可能にする。即ち、初期データではなく、初期データのより品質の低いバージョンが得られる。しかしながら、高い解像度の初期データが必要な場合には、解像度の低減されたバージョンでは不十分である。
【０００６】
よって、従来技術の上記課題を解消できる同期損失回復デジタル通信システムを提供することが望ましく、効果的である。
［発明の概要］
上記課題及び従来技術の関連する課題は、前方消失訂正（FXC）を使用する同期損失回復デジタル通信システムに係る本発明によって解決される。
【０００７】
本発明の一側面によると、デジタル通信システムにおける損失情報の回復を可能にする装置が提供されている。この装置は、同期損失によって少なくとも一部が妥協された情報スーパーパケットのいずれか一つの全体の後の回復のため、前記情報スーパーパケットにわたって前方消失訂正（FXC）パリティ・スーパーパケットを計算するためのFXC符号化器を有している。
【０００８】
本発明の更なる側面によると、デジタル通信装置における損失情報を回復するための装置が提供されている。この装置は、同期損失によって少なくとも一部が妥協された情報スーパーパケットのいずれか一つの全体を回復するために、前に前記情報スーパーパケットにわたって計算された前方消失訂正（FXC）パリティ・スーパーパケットを復号化するためのFXC復号器を有している。
【０００９】
本発明のより更なる側面によると、デジタル通信システムにおける損失情報の回復を可能にする方法が提供されている。この方法は、同期損失によって少なくとも一部が妥協された情報スーパーパケットのいずれか一つの全体の後の回復のため、前記情報スーパーパケットにわたってFXCパリティ・スーパーパケットを計算する段階を有している。
【００１０】
本発明のより更なる側面によると、デジタル通信装置における損失情報を回復するための方法が提供されている。この方法は、同期損失によって少なくとも一部が妥協された情報スーパーパケットのいずれか一つの全体を回復するために、前に前記情報スーパーパケットにわたって計算されたFXCパリティ・スーパーパケットを復号化する段階を有している。
【００１１】
本発明の前記並びに側面、特徴及び効果は、以下の詳細な説明を添付の図面と照らし合わせて読むことにより明らかになる。
[発明の詳細な説明]
本発明は、前方消失訂正（Forward  Erasure  Correction、FXC）を使用する同期損失回復デジタル通信システムに関するものである。本発明は、同期損失の期間をパケット消失として処理し、前方消失訂正（FXC）を使用することで、同期損失の回復を図るものである。パケットの消失を回復するのに追加のパリティデータが上位互換的に送信される。これにより、データの反復送信に比較して、オーバーヘッド・レートが減少する。
【００１２】
尚、本発明は、ハードウェア、ソフトフェア、ファームウェア、特殊目的プロセッサの態様で、或いはこれらの組み合わせという態様で実行されてもよい。好ましくは、本発明は、ハードウェアとソフトウェアの組み合わせとして実行される。更に、かかるソフトウェアがプログラム保管装置に有形に組み込まれたアプリケーションプログラムとして実行されることが好ましい。このアプリケーションプログラムは、あらゆる適当なアーキテクチャを有する装置に実行或いはアップロードされてもよい。好ましくは、この装置は、中央処理装置（CPU）、RAM（Random  Access  Memory）、及び入出力（I/O）インターフェースなどのハードウェアを一つ以上有する電子計算機プラットフォームに実行される。この電子計算機プラットフォームは、OS（Operation  System）及びマイクロ命令コードをも含む。また、ここで記載されている種々の処理及び機能は、OSを介して実行されるマイクロ命令コードの一部又はアプリケーションプログラムの一部（又はこれらの組み合わせ）であることも可能である。更に、追加のデータ保管装置やプリンター装置など他の周辺機器が電子計算機プラットフォームに結合されていてもよい。
【００１３】
尚、また、添付の図面に示されているシステムの要素や方法のステップがソフトウェアをもって好ましく実行されているため、本発明がプログラムされている態様によって、システムの要素（或いは処理ステップ）間の実際の結合関係が異なることがある。ここにおける記載をもって、本発明の技術分野における通常の知識を有する者は、本発明及び本発明と類似の方法、構成を理解することができる。
【００１４】
インターネットプロトコル（IP）などを使用するパケットネットワーク上に送信されるデータのパケット損失の防止を図るべく、前方消失訂正（FXC）符号は、パケットデータの送信に適用される。FXC符号のいかなる種類を利用することが可能であり、例えば、リードソロモン（RS）符号があるが、これに限定されるものではない。リードソロモン符号は、系統的符号である。即ち、初期情報バイトは追加パリティバイトとともに送信される。通信路のロスが無い場合には、受信器は単純に初期情報バイトのみを使用さればよく、FXC符号化を行う必要がないのである。しかしながら、パケットネットワークにおいて、パケットの個々のバイトが失われるのではなく、パケットデータ全体が失われる傾向がある。パケットの損失を防止するためにFXCが使用される場合に、一般に（必ずではないが）、各パケットから１バイトがFXC符号語の形成に使用される。例えば、RS（１５、１０）符号のFXCを使用して、長さが１０２４バイトである１０パケットが符号化される場合、長さが１０２４バイトである１０情報パケットと長さが１０２４バイトである５パリティパケットが送信されることになる。よって、各パケットから１バイトを使用すると、１０２４の異なるRS符合語が形成される。
【００１５】
よって、パリティデータを予想される同期損失期間の長さに対応する期間に対して計算し、前方消失訂正（FXC）の層を加えることにより、デジタル通信システムにおける同期損失によるデータ損失を防止することができる。同期不良によるデータ損失の期間は、FXC復号器におけるパケット消失であるものと考えられている。このシステムでは、パケットの用語は、一般に、小さいタイムスケールを意味するものとして使用されるため（例えば、１８８バイトのMPEG−２送信パケット）、ここで「スーパーパケット」という用語は、FXC復号器で使用される或いは使用可能なパケット単位を意味するものとして使用される。
【００１６】
本発明は、送信されるデータの種類に左右されるものではなく、あらゆる種類のデータの送信について実施できる。更に、本発明は、音声／ビデオのプログラムに限定されるものではなく、あらゆる種類のプログラムについて実施できる。
【００１７】
本発明によると、インパルスノイズを防止する他のデジタル通信システムの通信路符号化方法に加えて、FXCが使用されている。例えば、ATSC８VSBシステムにおいて、FXC符号化は、システムのトレリス符号化、インターリービング、及びリードソロモン（RS）前方誤り訂正（FEC）符号化に加えられる。FXCは、いかなる系統的前方誤り訂正符号であってもよく、例えば、リードソロモン（RS）符号があるが、これに限定されるものではない。系統的符号が使用されると、本発明は上位互換になることができる。即ち、既存の復号器は、送信される追加のパリティ・スーパーパケットを無視することができ、変更されていない情報スーパーパケットを通常に復号することができる。FXC符号化器及び復号器は、既存のデジタル通信システムで使用されている既存のRS・FEC符号とは異なるものである。例えば、FXC符号語は、スーパーパケットにわたって計算され（例えば、１スーパーパケットにつき、１バイト）、スーパーパケット全体の損失（消失）の防止を図る。これに対して、既存のRS  FECは、時間における近接の点からとられたサンプルをもって、任意のパケットにおける消失ではなく、ランダムなビット或いはバイト誤りを保護するものである。
【００１８】
本発明の好ましい実施例において、望まれる損失防止レベルと許容される遅延に基づいて、FXCパラメータであるn及びk、そしてスーパーパケットの長さであるsが選択される。パラメータnは、FXC符号語のブロック長さを表す。パラメータkは、FXC符号語内にある情報記号の数を表す。ここで、「FXC符号語」の用語及び「FXCパリティ・スーパーパケット」の用語は、相互に置き換えて使用することが可能であり、これらは、FXCパリティ・スーパーパケットが計算される基となるデータ要素である「情報スーパーパケット」に対照されるものである。
【００１９】
予想される損失同期の長さは：s*(n/k)*h  (h=n-ｋである場合)以下であるべきである。
FXC符号化のオーバーヘッド・レートは、h/kである。よって、例えば、19.2M  bps（即ち、2.4M  bytes/sec）で放送を行うシステムにおいて500  msecのフェージングから保護するには、s*(n/k)*h≦1.2M  バイトでなければならない。例えば、n=6、k=4（かつ、h=2）の場合、オーバーヘッド・レートは50%になり、s=400K  バイトとなる。本発明では、標準のATSC8VSBシステムが必要とする以上のs*n  bytesの追加の記憶を要する場合があり、この例では、2.4M  バイトである。19.2M  bpsの通信路帯幅を複数のプログラムが共有する場合には、符号化されているプログラムのみについてFXC符号化を行うことにより、必要とされる記憶を軽減することができる。
【００２０】
図１は、本発明の実施例によるところの残留側波帯（ＶＳＢ）送信器１００を示す概略図である。ここで説明及び図１で示される送信器の構成は例示的なものであり、本発明は、本発明の精神及び技術的範囲を維持しつつ、ＶＳＢ記号送信が可能な他の送信器の構成に適用されてもよい。
【００２１】
送信器１００は、ソース・エンコーダ１０５一つ、FXCエンコーダ１１０、移動MUX１１５、フレーム・同期器１２０、データ・ランダマイザ１２５、リードソロモン（RS）エンコーダ１３０、データ・インタリーバ１３５、同期挿入モジュール１４０、パイロット挿入モジュール１４５、８−VSB変調器１５０及びアナログ・アップ−コンバータ１５５を有している。
【００２２】
ソース・エンコーダ１０５からの圧縮ビットストリームは、パリティ・スーパーパケットを生成して反復性を加えるFXCエンコーダ１１０に処理される。数種の入力が輸送MUX１１５で一つの複合ストリームに結合されて、フレーム・同期器１２０に送られる。データフレームは、フレーム・同期器１２０で、生成されて、線引きされる。各データフレームは、二つのフィールドを有する。各データフィールドは、フレーム同期化セグメントを含む、ATSC標準での３１３データセグメントを有している。各データセグメントは１８８  byteの移動パケット及び関連する前方誤差訂正（FEC）オーバーヘッドを運ぶ。データ・ランダマイザ１２５は、データ・ペイロード（オーバーヘッド及び同期要素を含まない）のみをランダマイズするのに入力データ全てに対して使用される。リードソロモン（RS）エンコーダ１３０は、受信器での外部前方誤り訂正のために１８７バイトを確保し、２０  パリティバイトを追加するブロック・エンコーダである。バイトデータは、５２データセグメント（フィールドの約６分の１の深さ）を計算する畳み込みインタリーバを使用するデータ・インタリーバ１３５によって、インタリーブされる。予め符号化された１未符号化ビットを有する３分の２レート（two-thirds  rate）の４状態（4-state）トレリス符号化方式がトレリス符号化器１３６によって実施される。同期挿入モジュール１４０は、データセグメント同期を各データセグメントに挿入し、データフィールド同期を各データフィールドに挿入する。これら要素は、リードソロモン或いはトレリス符号化されない。パイロット挿入モジュール１４５は、直流（DC）成分を各記号に加えることによってパイロット信号を導入する。この後、８ＶＳＢ変調器１５０は、８ＶＳＢの集合上に記号（10.76M  symbols/secで生成）を描き、各記号に対応するルートナイキスト（root  Nyquist）パルスを生成する。そして、アナログ  アップ−コンバータ１５５は、その記号を送信に望まれる搬送波周波数に変換する。
【００２３】
FXC符号化器１１０は、ソース・エンコーダ１０５の後に配置されるが、移動MUX１１５及び通信路符号化ブロック（例えば、RSエンコーダ１３０）の前に配置される。kのスーパーパケットと各長さのsとが、FXCエンコーダ１１０に入力される。FXCエンコーダ１１０は、長さがsのh=n-kのパリティのスーパーパケットを生成する。初期情報スーパーパケット及びパリティ・スーパーパケットは、移動MUX１１５でマルチプレックスされる。ATSC８VSBシステムは、複数のプログラムがマルチプレックスされ、各プログラムに異なるプロセス識別子（Process  IDentifier、PID）が割り当てられ、同じ通信路で送信されることを可能にする移動MUXにおけるMPEG−２移動ストリームを使用する。本発明によるところ、情報スーパーパケットは、FXCを使用しないシステムとの関係で変更されていないものである。本発明によるところ、送信される追加パリティ・スーパーパケットは、移動MUX１１５によって、情報スーパーパケットと異なるPIDを割り当てられる。各々が別のPIDを有する複数のプログラムが送信される場合、パリティ・スーパーパケットは、全てのプログラムをまとまりに基づいて、或いは個別のプログラムを１つ以上に基づいて、計算されることが可能である。そして、全てのデータは、標準のシステムに変更される必要のないATSC８VSBの残りの通信路符号化部に送られる。受信器での同期を補助すべく、異なるPIDに基づいて特別なFXC同期移動パケットが各スーパーパケットnにつき１回送信されることが可能である。これら特別なFXC同期移動パケットは、スーパーパケットシーケンス番号開始位置とMPEG−２  移動パケットPID、プログラム・クロック・レファレンス（Program  Clock  Reference、PCR）、コンティニュイティ・カウンター・フィールド（continuity  counter  field）、スーパーパケット長さのs及びリードソロモンパラメータ（n、k）との対応を示すことになる。
【００２４】
図２は、本発明の実施例によるところの残留側波帯（ＶＳＢ）受信器２００を示す概略図である。ここで説明及び図２で示される送信器の構成は例示的なものであり、本発明は、本発明の精神及び技術的範囲を維持しつつ、ＶＳＢ記号送信が可能な他の送信器の構成に適用されてもよい。
【００２５】
受信器２００は、チューナー２０５、中間周波数（IF）フィルタ及び同期検出器２１０、同期及びタイミング・モジュール２１５、等化器２２０、位相トラッキング器２２５、トレリス・デコーダ２３０、データ・インタリーバ２３５、リードソロモン（RS）デコーダ２４０、データ  デ・ランダマイザ２４５、移動DEMUX２５０、ＦＸＣデコーダ２６０、及びソース・デコーダ２６５を有している。
【００２６】
８VSB送信信号では、デジタル情報は、位相ではなく、専らRFエンベロープの振幅にて送信される。送信信号の８つのレベルが、Iチャンネル又は位相内情報のみをサンプルすることによって回復される。Qチャンネルへの依存が排除されているので、受信器２００は、Iチャンネルのみを処理すれば足りる。よって、受信器２００の異なるステージにて必要となるデジタル信号処理回路の数が半分に削減することが可能になる。これにより、受信器の形成の簡素化及びコスト削減を図ることができることが明白である。
【００２７】
記号は、図１の送信器１００に適用される反対の原理を適用することにより、受信器２００にて復調される。即ち、入来VSB記号は、受信され、ダウンコンバートされ、フィルタされ、そして、検出される。そして、セグメント同期及びフレーム同期が回復される。入来信号は、チューナー２０５によって中間周波数に変換される。IFフィルタ及び同期検出器２１０によって通信路選択が行われる。そして、タイミング回復及び粗搬送波回復が同期及びタイミング・モジュール２１５によって達成される。そして、信号は、全ての多重通信路成分除去のために、等化器２２０で等化される。等化器はIチャンネル又は実情報によって計算を行うため、VSBシステムの一つの利点として、複雑な等化が不要となる。等化器２２０の出力は、残余位相ジッター除去のために、位相トラッキング２２５に適用される。位相トラッキング器２２５の出力は連結前方誤り訂正（FEC）システムの内部符号に対応するトレリス・デコーダ２３０に適用される。トレリス・デコーダ２３０の出力が、トレリス・デコーダの誘発のよる誤りのバーストを拡散するデータ・デ・インタリーバ２３５に適用される。そして、デ・インタリーブされたデータは、連結符号化システムの外部符号に対応し、ブロックに基づくリードソロモン（RS）デコーダ２４０に適用される。そして、RSデコーダ２４０の出力、即ち、通信路符号化データは、送信器での反転処理に対応するデータ・デ・ランダマイザ２４５によって処理される。そして、デ・ランダマイズされたデータは、移動デ・マルチプレクサ２５０に送られ、音声・ソース・デコーダ、ビデオ・ソース・デコーダ、及びデータ・ソース・デコーダ（まとめてソース・デコーダ２６０として表されている）のそれぞれに処理されるために、その合成ストリームは各成分ストリームに分離される。
【００２８】
FXCデコーダ２６０は、他の通信路復号化ブロック（例えば、RSデコーダ２６０）及び移動DEMUX２５０の後に配置され、ソース・デコーダ２６５の前に配置される。FXC同期移動パケットを使用することにより、スーパーパケットシーケンスの番号と位置とを判断判断することが可能である。ＲＳデコーダ２４０などの先行する通信路符号化ブロックの一つからの誤り表示信号を使用することにより、FXCデコーダ２６０は、消失位置を利用できるようになる。MPEG−２送信ストリームシステムにおける使用では、移動パケットの移動誤り表示フィールドが誤りの位置の表示に使用できる。
【００２９】
同期損失が発生しない場合には、FXC復号化は不要であり、FXCデコーダ２６０は、情報スーパーパケットのデータをソース・デコーダ２６５に通過させるだけである。同期損失が発生し、検出された場合には、損失或いは不良データを有するスーパーパケットは、消失をもって印付けられる。k以上のスーパーパケットが正常に受信された場合には、それが情報パケット又はパリティパケットであろかに拘らず、ＦＸＣデコーダ２６０は、各スーパーパケットから１バイトを取得して符号語を形成するというsRS(n、ｋ)符号語の複合化を実行して、損失情報パケットを完全に再構築するのである。当然、符号語を形成するのに各スーパーパケットから１バイト以上取得することも可能である。即ち、本発明の説明によって、当業者は、上記及びスーパーパケットからの符号語の形成に使用される他のデータ単位を予想することができる。
【００３０】
FXCRS（６、４）のシステムにおいて、長さが４００K  バイトの６つのスーパーパケットが送信される例を挙げる。スーパーパケット０−３は、情報スーパーパケットであり、スーパーパケット４と５は、パリティ・スーパーパケットである。同期の損失により、スーパーパケット３と４は、受信器で不良になる。FXC符号化は、４００，０００の符号語に対して行われ、各符号語は、スーパーパケット０、１、２、及び５の〜番目のバイトを取得し、３つ目と４つ目の位置を消失として印付けることによって形成される。スーパーパケット３は、FXCデコーダ２６０によって、完全に再構築され、スーパーパケット０―３は、ソース・デコーダ２６５に送られる。この例は、図３に示されており、この図は、本発明の実施例によるところのスーパーパケット損失のパターンの例を示すものである。
【００３１】
本発明は、ATSC（Advanced  Television  Systems  Committee）８VSBデジタル通信システムに対して説明されているが、本発明は、パケットに基づいたあらゆるデジタル通信システムに対しても適用することが可能である。
【００３２】
尚、本発明の実施例は、添付の図面をもって説明したが、本発明は上記実施例に限定されるものではなく、本発明の精神及び技術的範囲を逸脱することなく、当業者によって変更及び改良が加えられることが可能である。これら変更及び改良は、特許請求の範囲によって説明されて範囲に含まれるものである。
【図面の簡単な説明】
【００３３】
【図１】図１は、本発明の実施例による残留側波帯（ＶＳＢ）送信器を示す概略図である。
【図２】図２は、本発明の実施例による残留側波帯（ＶＳＢ）受信器を示す概略図である。高優先順位パケットの仮想反復の使用を示すブロック図である。
【図３】図３は、本発明の実施例によるスーパーパケット損失のパターンの例を示す図である。
【図１】
2005523637.tif 000003
【図２】
2005523637.tif 000004
【図３】
2005523637.tif 000005
【国際調査報告】
2005523637.tif 000006